(57)【要約】【課題】情報処理装置等において表示画面に表示される壁紙の変更・設定を容易に行えるようにする。【解決手段】壁紙（最下位）画像を変更する画像変更モードが選択されると、スイッチ部の第１の操作（例えば、揺動操作）毎に予め記憶された複数の画像を順次画像候補として選択して表示画面に表示する。そして、スイッチ部の第２の操作（例えば、押し込み操作）に応じて現に表示画面に表示されている画像候補を壁紙とする。例えば、画像変更モードの際には、表示画面全体に画像候補のみが表示される。【選択図】図５
2008165770.tif 000002
【特許請求の範囲】
【請求項１】
壁紙画像と、
壁紙画像よりも優先的に表示される上位画像と、
前記壁紙画像と前記上位画像とを同時に表示可能な画像表示部と、
第１の操作手段と、
前記画像表示部に前記壁紙画像として表示可能な複数の画像データとを備え、
前記第１の操作手段により、前記画像表示部に前記上位画像を非表示のままで、前記画像表示部に前記複数の画像データから一つの画像データを選択して前記壁紙画像に代えて表示するとともに、
前記第１の操作手段による操作の都度、前記複数の画像データから一つの画像データを順次選択して前記壁紙画像に代えて新たな壁紙画像として表示する、
ことを特徴とする画像表示制御装置。 
【請求項２】
前記第１の操作手段により、前記画像表示部に前記選択した画像データを前記壁紙画像に代えて表示する場合、前記画像データのみを前記画像表示部の略表示画面全体に表示することを特徴とする請求項１に記載の画像表示制御装置。
【請求項３】
第２の操作手段を備え、
前記第２の操作手段の操作により、前記画像表示部に表示している画像データを前記壁紙画像に設定することを請求項２に記載の画像表示制御装置
【請求項４】
前記第２の操作手段の操作により前記画像表示部に表示している画像データが前記壁紙画像に設定された場合に、前記画像表示部に前記設定された壁紙画像と共に前記上位画像を表示することを特徴とする請求項３に記載の画像表示制御装置。
【請求項５】
回動又は揺動操作可能で且つ押圧操作可能なスイッチ部を備え、
前記第１の操作手段を前記スイッチ部の回動又は揺動操作で構成すると共に、前記第２の操作手段を前記スイッチ部の押圧操作で構成することを特徴とする請求項３または４に記載の画像表示制御装置。
【請求項６】
画像表示制御装置が備えるコンピュータに画像表示させるための画像表示制御プログラムにおいて、
壁紙画像と壁紙画像よりも優先的に表示される上位画像とを画像表示部に表示するステップと、
前記壁紙画像と前記上位画像とを表示している状態から前記壁紙画像を前記画像表示部に表示するよう変更するステップと、
前記壁紙画像を表示している状態から第１の操作に応じて前記壁紙画像に代えて他の画像を前記画像表示部に表示するステップと、
前記第１の操作の後、さらに前記第１の操作が行われる都度、他の画像を順次選択して前記画像表示部に表示するステップと、
前記他の画像を表示している状態での第２の操作に応じて前記他の画像を壁紙画像として設定するステップとを有することを特徴とする画像表示制御プログラム。
【発明の詳細な説明】
【技術分野】
【０００１】
本発明は、情報端末装置及びこれに用いられる画像表示制御プログラムに関し、特に、表示画面の最下位の階層に表示される画像（所謂壁紙）の表示制御を行う画像表示制御装置及び画像表示制御プログラムに関するものである。
【背景技術】
【０００２】
一般に、情報処理装置等では、その表示画面の最下位の階層に表示される画像（以下壁紙という）を設定する際には、ＧＵＩ（Ｇｒａｐｈｉｃａｌ  Ｕｓｅｒ  Ｉｎｔｅｒｆｅａｃｅ）上の壁紙リストから壁紙として設定する壁紙名を選択すると、当該選択された壁紙が縮小表示される。ユーザは、例えば、ポインティングデバイスを操作して、壁紙リスト上でカーソル（セレクタ）を移動させて、順次縮小された壁紙を閲覧する。そして、所望の壁紙（縮小壁紙）があると、当該所望の壁紙（縮小壁紙）に対応する壁紙名にセレクタを位置づけた状態で、設定ボタンを操作すると、この壁紙が表示画面の最下位の階層に表示される壁紙として設定される。
【０００３】
このようにして、ユーザはＧＵＩを用いて壁紙の設定を行うことができるが、壁紙を設定する際には、ユーザはまず縮小された壁紙を見て、イメージを掴んだのち、設定ボタンを操作するというように種々の操作を行う必要がある。さらに、縮小された壁紙からイメージを掴んだと思っても、実際に壁紙が設定されると（つまり、拡大して表示されると）、縮小された壁紙で掴んだイメージとして異なる場合もあり、その場合には、再度、上述のようにして、壁紙の設定操作を行わなければならない。
【０００４】
このような操作性の悪さを解消するため、例えば、特開２０００−２０７０８６公報（以下特許文献１と呼ぶ）に記載された情報処理装置が知られている。
【０００５】
特許文献１では、壁紙画像データベースに、壁紙画像カードに貼付されている識別情報に対応付けて壁紙画像サンプルの画像データが記憶されている。壁紙を変更・設定する際には、ユーザは壁紙画像カード及び壁紙画像サンプルを参照して、所望の壁紙画像サンプルを選択する。そして、ユーザは、選択した壁紙画像サンプルに貼付されている壁紙画像カードをＣＣＤビデオカメラで撮像する。これによって、当該壁紙画像カードの識別情報が読み取られ、この読取識別情報に対応する画像データ（つまり、壁紙画像サンプル）が壁紙として表示される。
【０００６】
【特許文献１】特開２０００−２０７０８６公報
【発明の開示】
【発明が解決しようとする課題】
【０００７】
ところが、特許文献１における壁紙の変更・設定では、ユーザは、壁紙画像データベースに予め記憶された画像データに対応する壁紙画像カード及び壁紙画像サンプルを所持する必要がある。そして、壁紙画像データベースに記憶された画像データの数が多いと、不可避的に壁紙画像カード及び壁紙画像サンプルの数も多くなってしまい、保管等が面倒となってしまうばかりでなく、多数の壁紙画像カード及び壁紙画像サンプルから所望の壁紙を見つけ出すことも容易ではない。
【０００８】
しかも、特許文献１では、ＣＣＤビデオカメラで壁紙画像カードを撮像する必要がある点を考慮すると、ＧＵＩに比べて操作性を向上させることは困難である。
【０００９】
加えて、携帯情報端末装置（Ｐｅｒｓｏｎａｌ  Ｄｉｇｉｔａｌ  Ａｓｓｉｓｔａｎｔ：ＰＤＡ）では、出先等のモバイル環境において使用される関係上、片手で操作することが多く、例えば、歩行中等に操作を行うことも多い。このようなＰＤＡにおいて、壁紙の設定・変更を行おうとする際、特許文献１のようにして壁紙の変更・設定を行うことは不可能であり、操作性が特に求められるＰＤＡにおいて特許文献１に記載された壁紙の変更・設定を用いることは困難である。
【００１０】
このように、特許文献１に記載された壁紙の変更・設定はその操作性が良好ではなく、特に、その操作性を考慮すると、ＰＤＡ等において、特許文献１に記載された壁紙の変更・設定を用いることは極めて困難である。
【００１１】
本発明の目的は、壁紙の表示制御、つまり、壁紙の変更・設定が容易であり、しかも操作性の良好な画像表示制御装置及び画像表示制御プログラムを提供することにある。
【課題を解決するための手段】
【００１２】
本発明によれば、壁紙画像と、
壁紙画像よりも優先的に表示される上位画像と、
前記壁紙画像と前記上位画像とを同時に表示可能な画像表示部と、
第１の操作手段と、
前記画像表示部に前記壁紙画像として表示可能な複数の画像データとを備え、
前記第１の操作手段により、前記画像表示部に前記上位画像を非表示のままで、前記画像表示部に前記複数の画像データから一つの画像データを選択して前記壁紙画像に代えて表示するとともに、
前記第１の操作手段による操作の都度、前記複数の画像データから一つの画像データを順次選択して前記壁紙画像に代えて新たな壁紙画像として表示する、
ことを特徴とする画像表示制御装置が得られる。
【００１３】
また、本発明による画像表示制御装置は、前記第１の操作手段により、前記画像表示部に前記選択した画像データを前記壁紙画像に代えて表示する場合、前記画像データのみを前記画像表示部の略表示画面全体に表示するようにしている。
【００１４】
さらに本発明では、第２の操作手段を備え、
前記第２の操作手段の操作により、前記画像表示部に表示している画像データを前記壁紙画像に設定するようにしている。
【００１５】
また本発明によれば、前記第２の操作手段の操作により前記画像表示部に表示している画像データが前記壁紙画像に設定された場合に、前記画像表示部に前記設定された壁紙画像と共に前記上位画像を表示するようにしている。
【００１６】
本発明によれば、回動又は揺動操作可能で且つ押圧操作可能なスイッチ部を備え、
前記第１の操作手段を前記スイッチ部の回動又は揺動操作で構成すると共に、前記第２の操作手段を前記スイッチ部の押圧操作で構成している。
【００１７】
また本発明によれば画像表示制御装置が備えるコンピュータに画像表示させるための画像表示制御プログラムにおいて、
壁紙画像と壁紙画像よりも優先的に表示される上位画像とを画像表示部に表示するステップと、
前記壁紙画像と前記上位画像とを表示している状態から前記壁紙画像を前記画像表示部に表示するよう変更するステップと、
前記壁紙画像を表示している状態から第１の操作に応じて前記壁紙画像に代えて他の画像を前記画像表示部に表示するステップと、
前記第１の操作の後、さらに前記第１の操作が行われる都度、他の画像を順次選択して前記画像表示部に表示するステップと、
前記他の画像を表示している状態での第２の操作に応じて前記他の画像を壁紙画像として設定するステップとを有することを特徴とする画像表示制御プログラムが得られる。
【発明の効果】
【００１８】
以上説明したように、本発明では、最下位画像を変更する画像変更モードが選択された際、スイッチ部の第１の操作毎に予め記憶された複数の画像を順次画像候補として選択して表示画面に表示し、スイッチ部の第２の操作に応じて現に表示画面に表示されている画像候補を最下位画像として決定するようにしたから、壁紙画像の表示制御を簡単に行え、壁紙画像（つまり、最下位画像）の変更・設定を容易に行うことができるという効果がある。
【発明を実施するための最良の形態】
【００１９】
以下本発明について図面を参照して説明する。なお、図示の例における構成部品の寸法、材質、形状、その相対配置などは特に特定的な記載がない限りは、この発明の範囲をそれのみに限定する趣旨ではなく単なる説明例に過ぎない。
【００２０】
まず、図１を参照して、ここでは、画像表示制御装置の一例として、当該画像表示制御装置が用いられる携帯情報端末装置（ＰＤＡ）を例に挙げて説明する。図示のＰＤＡは、ユーザが手のひらに把持できる大きさであり、外装ケース１１の前面には、ほぼその全面にわたってタッチパネル１２ａを備える液晶パネル１２が配置されている（タッチパネル１２ａは、例えば、液晶パネル１２の表面に配置されている）。さらに、外装ケース１１には、後述するように、コントロールスイッチ（以下サイドコントローラと呼ぶ）１３、エスケープスイッチ１４、電源オン／オフスイッチ（以下電源スイッチと呼ぶ）１５、外部メモリ媒体が挿入される挿入スロット１６、各種データの送受信等を行う際に用いられる外部接続ターミナル１７、及びタッチペン（スタイラスペン）１８を収納するための収納部１９等が設けられている。
【００２１】
図１に示すように、サイドコントローラ１３、エスケープスイッチ１４、及び電源スイッチ１５は外装ケース１１の側面に一列に配置されており、図示の例では、図中上側から順にサイドコントローラ１３、エスケープスイッチ１４、及び電源スイッチ１５の順に配置されている。そして、サイドコントローラ１３は外装ケース１１を液晶パネル１２が正面にくるようにして、例えば、左手で把持した際に、サイドコントローラ１３が左手の親指が位置する可能性が高い位置に配置される。
【００２２】
サイドコントローラ１３の上側には外方向に延びる突起部１１ａが形成されており、サイドコントローラ１３の一部は外装ケース１１の側面に露出している。サイドコントローラ１３は図中実線矢印Ａで示す方向（上下方向）に所定の範囲で揺動可能（回動可能）に、外装ケース１１の正面（前面）から裏面方向に延びる軸体（図示せず）に支持されるとともに、軸体に直交する方向（図中側面から内側に向かう方向）に押圧可能（実線矢印Ｂ）に支持されている。この回動（揺動）範囲は、左手の親指による略一回の押し上げ又は押し下げ操作で回動（揺動）操作可能な範囲に制限されている。そして、サイドコントローラ１３の露出面には、例えば、波形の突起状部１３ａが形成されている。
【００２３】
前述のように、サイドコントローラ１３は、例えば、左手親指で回動（揺動）操作又は押圧操作される。この際、左手親指は突起状部１３ａに触れることになる。サイドコントローラ１３は操作されない状態においては所定の位置（以下基準位置と呼ぶ）に位置しており、左手親指で基準位置から上方向に押し上げ操作すると、所定の回動量（揺動量）だけサイドコントローラ１３は回動（揺動）してそれ以上回動（揺動）しない。そして、左手親指をサイドコントローラ１３から放すと（つまり、サイドコントローラ１３を回動（揺動）するための力をなくすと）、サイドコントローラ１３は自動的に基準位置に復帰する。
【００２４】
同様に、左手親指で基準位置から下方向に押し下げ操作すると、所定の回動量（揺動量）だけサイドコントローラ１３は回動（揺動）してそれ以上回動（揺動）しない。そして、左手親指をサイドコントローラ１３から放すとサイドコントローラ１３は自動的に基準位置に復帰する。なお、押圧操作は基準位置においてのみ行うことができる。また、サイドコントローラ１３は上述のように、ＰＤＡ自体を保持している左手親指で操作するため、この親指の動きは制限を受け、複雑な操作は困難となっている。従って、より複雑な操作を必要とする回動操作よりも揺動操作の方が操作しやすいため、サイドコントローラ１３は好ましくは揺動操作とすべきである。
【００２５】
サイドコントローラ１３は前述の回動操作（揺動操作）又は押圧操作に応じて操作信号を送出し、この操作信号に応じて、後述するように、各種処理が実行される。
【００２６】
前述のように、サイドコントローラ１３の下側にはエスケープスイッチ１４が配置され、エスケープスイッチ１４の下側には、電源スイッチ１５が配置され、電源スイッチ１５の表面には複数の点状突起が形成されている。そして、これらサイドコントローラ１３、エスケープスイッチ１４、及び電源スイッチ１５は、例えば、左手親指で操作できる位置に配置される。
【００２７】
なお、図示の例では、エスケープスイッチ１４は押圧操作され（実線矢印Ｃ）、これによって、エスケープ（ＥＳＣ）信号が送出され、エスケープ動作が行われる。電源スイッチ１５はスライド操作（実線矢印Ｄ）される（図中上側に押し上げると電源オンとなり、電源スイッチ１５は元の位置に戻る。そして、電源オンの状態で上側に押し上げると電源オフとなり、電源スイッチ１５は元の位置に戻る）。
【００２８】
外部接続ターミナル１７によって、図示のＰＤＡは、例えば、通信機能を備えた専用の充電装置（所謂クレイドル装置）と接続することによって、パーソナルコンピュータ等とデータの送受信を行うことができる。また、外部接続ターミナル１７によって充電を行うことができる。液晶パネル１２は、例えば、カラー液晶ディスプレイであり、必要に応じてバックライトが備えられる。タッチパネル１２ａは、例えば、タッチペン１８でタッチ（タップ）した際、その接触位置（タッチ位置）及び接触軌跡等を検出するタッチセンサを有している。
【００２９】
次に、図２を参照して、図示のＰＤＡは、中央処理装置（ＣＰＵ）２１を有しており、ＲＯＭ等の記憶部２２に格納された制御プログラム（画像表示制御プログラムも含む）に応じてＰＤＡ全体の制御を行うとともに、記憶部２２に格納されたアプリケーションプログラムに応じて各種処理を実行する。図示の例では、予め壁紙の画像データ（以下壁紙画像データと呼ぶ）が複数記憶部２２に格納されているものとする。つまり、第１〜第Ｎの壁紙画像データが記憶部２２に格納されている。
【００３０】
なお、アプリケーションプログラム及び壁紙画像データは挿入スロット１６に挿入される外部メモリ媒体から取り込まれる場合もある。さらに、ＣＰＵ２１にはＲＡＭ等の書き込み・読み出し可能な記憶部２２ａが接続されている（記憶部２２ａは電源がオフされてもその記憶した内容は消去されない）。そして、外部メモリ媒体から取り込まれた壁紙画像データを記憶部２２ａに記憶するようにしてもよい。
【００３１】
図示のように、ＣＰＵ２１にはサイドコントローラ操作検出部２３を介してサイドコントローラ１３が接続されるとともに、エスケープスイッチ操作検出部２４を介してエスケープスイッチ１４が接続される。さらに、ＣＰＵ２１には電源スイッチ操作検出部２５を介して電源スイッチ１５が接続されている。また、ＣＰＵ２１にはタッチパネル操作検出部２６を介してタッチパネル１２ａが接続されるとともに、液晶パネル駆動部２７を介して液晶パネル１２が接続されている。
【００３２】
図示のＰＤＡにはメール送受信部（メール送受信機能）２８が備えられており、このメール送受信部２８はＣＰＵ２１に接続されている。そして、メール送受信部２８は、例えば、携帯電話機等の通信カード機器等（図示せず）と挿入スロット１６により接続されて、通信機器を介してメールの送受を行う。そして、メールの送信及び受信の都度、ＣＰＵ２１は送信メール及び受信メールを記憶部２２ａに記録する。これら送信メール及び受信メールは、記憶部２２ａから読み出して閲覧することができる。
【００３３】
いま、ＰＤＡが電源オフ状態である際に、電源スイッチ１５が押し上げ操作されると、電源スイッチ操作検出部２５ではこの押し上げ操作を検知して電源スイッチ１５操作信号をＣＰＵ２１に与える。ＣＰＵ２１では電源スイッチ操作信号に応答して、ＰＤＡを電源オン状態とする。そして、電源がオンとなると、ＣＰＵ２１は液晶パネル駆動部２７を駆動制御して液晶パネル１２上にアプリケーションプログラム（アプリケーション）の一つである初期画面（メニュー画面、以下このメニュー画面をランチャ画面と呼ぶ）を表示する。
【００３４】
図３（ａ）を参照して、ランチャ画面には、メニュー項目として、例えば、メール、ブラウザ、アドレス帳、スケジュール、メモ帳、ファイルビューア、アクセサリー、システム、及び設定等のアプリケーション名がアイコンとともに表示される。つまり、記憶部２２にはこれらメニュー項目に関するアプリケーションプログラム（アプリケーションソフト）が格納されていることになる。図３（ａ）はメニュー項目が略弧状で３次元的に表示される第１の表示モード、図３（ｂ）はメニュー項目が画面奥行き方向に傾斜した略平板状で３次元的に表示される第２の表示モード、図３（ｃ）は、平面状にメニュー項目が表示される第３の表示モードを示している。つまり、図３（ａ）又は（ｂ）ではメニュー項目は恰も３次元的に表示されており、図３（ｃ）ではメニュー項目は２次元的に表示されている。
【００３５】
これら表示モードを切り替える際には、モード切り替えアイコン３１をタップ操作することによって、例えば、第１の表示モード、第２の表示モード、第３の表示モード、第１の表示モード、…のように順次表示モードが切り替わる。
【００３６】
第１〜第３のいずれの表示モードにおいても、ランチャ画面の下側にはタスクバー３２が表示され、上側には、タイトルバー３３が表示される。そして、前述のモード切り替えアイコン３１はタイトルバー３３に設けられており、タスクバー３２とタイトルバー３３との間にはウインドウ表示領域３４が規定され、このウインドウ表示領域３４に前述のメニュー項目が表示される。さらに、タイトルバー３３中には画像切り替えアイコン（壁紙切り替えアイコン）３３ａが設けられており、壁紙切り替えアイコン３３ａをタップ操作すると、後述するように、ＣＰＵ２１は壁紙変更モードへと移行する。
【００３７】
なお、壁紙切り替えアイコン３３ａはランチャ画面等メニュー項目が表示される表示画面にのみ表示される。つまり、ランチャ画面よりも下位に位置する表示画面においても、メニュー項目（下位メニュー項目）が存在する表示画面では、壁紙切り替えアイコン３３ａが表示される（例えば、アクセサリー又はシステム等）。一方、それ以外のアプリケーションに係る表示画面では、図示はしないが、壁紙切り替えアイコン３５に代えてアプリケーション終了アイコン（図示せず）が表示される。
【００３８】
いま、サイドコントローラ１３を基準から上側に操作（回動又は揺動）すると、サイドコントローラ操作検出部２３ではこの上側操作を検知して、上側操作信号をＣＰＵ２１に与える。これによって、ＣＰＵ２１は、ランチャ画面においてカーソル３７を上側に移動させることになる。また、サイドコントローラ１３を基準から下側に操作すると、サイドコントローラ操作検出部２３ではこの下側操作を検知して、下側操作信号をＣＰＵ２１に与える。これによって、ＣＰＵ２１は、ランチャ画面においてカーソルを下側に移動させることになる。
【００３９】
そして、メニュー項目の一つにカーソルを位置づけて、サイドコントローラ１３を押し込み操作すると、サイドコントローラ操作検出部２３ではこの押し込み操作を検知して、押圧操作信号（押し込み操作信号）をＣＰＵ２１に与える。これによって、ＣＰＵ２１は、カーソルが位置するメニュー項目を選択して、この選択したメニュー項目に係るアプリケーションプログラムが起動されて、当該メニュー項目に係るアプリケーションに対応する表示画面に遷移する。
【００４０】
なお、図３（ａ）に示すように、第１の表示モードにおいては、ランチャ画面の左上及び左下にそれぞれ上及び下スクロールボタン３５及び３６が表示され、図３（ｂ）に示す第２の表示モードにおいては、ランチャ画面の中央上及び中央下にそれぞれ上及び下スクロールボタン３５及び３６が表示される。また、図３（ｃ）に示す第３の表示モードにおいては、ランチャ画面の左上及び左下にそれぞれ上及び下スクロールボタン３５及び３６が表示される。
【００４１】
これら上及び下スクロールボタン３５及び３６をタップ操作すると、ランチャ画面が上及び下方向にスクロールされて、カーソル３７を所望のメニュー項目に位置づけることができる。ランチャ画面において、最も上側に位置するメニュー項目（メール）にカーソル３７が位置づけられると、上スクロールボタン３５は画面から消える。同様に、最も下側に位置するメニュー項目（アプリケーションＢ）にカーソル３７が位置づけられると、下スクロールボタン３６は画面から消える。
【００４２】
ここで、図３（ａ）を参照して、図３（ａ）に示す第１の表示モードが選択されている状態で、壁紙（表示画面の最下位に位置する画像）として第１の画像データによる壁紙が表示されているとする（図３（ａ）においては、壁紙は図示されていない。以下記憶部２２に格納された第１〜第Ｎの画像データで示される壁紙をそれぞれ第１〜第Ｎの壁紙と呼ぶことにする）。
【００４３】
図４及び図５を参照して、このランチャ画面において、ユーザが壁紙を変更しようとする際には、タイトルバー３３中の壁紙切り替えアイコン３３ａをタップ操作する。ＣＰＵ２１は壁紙切り替えアイコン３３ａがタップ操作されたと判断すると（ステップＳ１）、ＣＰＵ２１は壁紙変更モードに移行して、ランチャ画面に第１の壁紙（図５（ａ）において、第１の壁紙は左斜めハッチングで示されている）のみを残して他の表示項目は非表示とする（ステップＳ２）。つまり、ＣＰＵ２１は、タスクバー３２、タイトルバー３３、メニュー項目、及び上及び下スクロールボタン３５及び３６等全ての表示項目を非表示として、表示画面に第１の壁紙のみを残す（図５（ｂ）参照：以下この画面を壁紙モード画面と呼ぶ））。
【００４４】
図５（ｂ）に示す状態において、ユーザがサイドコントローラ１３を揺動操作（つまり、第１の操作）すると（ステップＳ３）、サイドコントローラ１３を揺動操作する都度、ＣＰＵ２１は壁紙モード画面（表示画面）に表示される壁紙を壁紙候補として順次変更する（ステップＳ４）。例えば、記憶部２２には第１〜第Ｎの画像データの順に画像データが配列されており、ＣＰＵ２１は現在第１の壁紙が壁紙モード画面に表示されていると認識している（つまり、第１の画像データが壁紙として設定されていると認識している）。サイドコントローラ１３が上側に一回揺動操作されると、ＣＰＵ２１は第１の画像データから第２の画像データに切り替えて（変更して）、第２の画像データに応じた第２の壁紙を壁紙候補として壁紙モード画面に表示する（図５（ｃ）参照：図５（ｃ）においては第２の壁紙は縦ハッチングで示されている）。
【００４５】
同様にして、図５（ｃ）に示す状態において、サイドコントローラ１３が上側に一回揺動操作されると、ＣＰＵ２１は第２の画像データから第３の画像データに切り替えて、第３の画像データに応じた第３の壁紙を壁紙候補として壁紙モード画面に表示する（図５（ｄ）参照：図５（ｄ）においては第３の壁紙は横ハッチングで示されている）。
【００４６】
一方、図示はしないが、図５（ｂ）に示す状態において、サイドコントローラ１３が下側に一回揺動操作されると、ＣＰＵ２１は第１の画像データから第Ｎの画像データに切り替えて、第Ｎの画像データに応じた第Ｎの壁紙を壁紙候補として壁紙モード画面に表示する。
【００４７】
このようにして、ＣＰＵ２１は、サイドコントローラ１３が上側に揺動操作される都度、第１の壁紙から第２の壁紙、そして、第３の壁紙、…、第Ｎの壁紙、第１の壁紙、…の順に壁紙候補の表示を変更する。また、サイドコントローラ１３が下側に揺動操作される都度、ＣＰＵ２１は第１の壁紙から第Ｎの壁紙、そして、第（Ｎ−１）の壁紙、…、第２の壁紙、第１の壁紙、…の順に壁紙候補の表示を変更することになる。
【００４８】
このようにして、壁紙変更モードにおいて、壁紙モード画面に表示される壁紙候補を順次変更して、ユーザは所望の壁紙候補が壁紙モード画面に表示された段階で、サイドコントローラ１３を押し込み操作（つまり、第２の操作）すると（ステップＳ５）、ＣＰＵ２１は現時点で壁紙モード画面に表示されている壁紙候補を壁紙と確定し（ステップＳ６）、壁紙変更モードを解除してランチャ画面に復帰する（ステップＳ７）。このランチャ画面には、前述のようにして選択確定された壁紙が表示されることになる。
【００４９】
例えば、図５（ｅ）に示すように、第４の画像データに応じた第４の壁紙（第４の壁紙は右斜めハッチングで示されている）が壁紙候補として壁紙モード画面に表示されている状態で、サイドコントローラ１３を押し込み操作すると、ＣＰＵ２１は当該壁紙候補を壁紙として確定して、タスクバー３２、タイトルバー３３、メニュー項目、及び上及び下スクロールボタン３５及び３６等全ての表示項目を表示して、ランチャ画面に復帰させる（図５（ｆ）参照）。
【００５０】
ところで、壁紙の確定及びランチャ画面への復帰を行う際には、エスケープスイッチ１４を押すようにしてもよい。つまり、図４に示すステップＳ８において、エスケープスイッチ１４が押されると、ＣＰＵ２１は、壁紙モード画面に現在表示されている壁紙候補を壁紙と確定して、壁紙モード画面からランチャ画面に復帰させる。さらに、壁紙切り替えアイコン３３ａが表示されていた位置（表示位置）をタップ操作しても（ステップＳ９）、ＣＰＵ２１は壁紙モード画面に現在表示されている壁紙候補を壁紙と確定して、壁紙モード画面からランチャ画面に復帰させる。
【００５１】
なお、ステップＳ５〜Ｓ８においてそれぞれサイドコントローラ１３の押し込み操作、エスケープスイッチ１４の押圧操作、及び壁紙切り替えアイコン３３ａが表示されていた位置のタップ操作がともになければ、ＣＰＵ２１はステップＳ３に移行する。また、ステップＳ３において、揺動操作がないと、ＣＰＵはステップＳ５に移行することになる。
【００５２】
このようにして、壁紙を変更する際には、壁紙切り替えアイコン３３ａをタップ操作して、壁紙変更モードへと移行させて、サイドコントローラ１３を揺動操作して壁紙の選択を行い、サイドコントローラ１３を押し込み操作して壁紙の決定をすれば、ランチャ画面上の壁紙を変更することができる。つまり、極めて簡単な操作で壁紙の変更を行うことができることになる。
【００５３】
なお、壁紙切り替えアイコン３３ａが表示された表示画面であれば、ランチャ画面と同様にして、この表示画面から壁紙モード画面に移行して、壁紙の変更を行うことができる。また、上述の例では、第１の表示モードのランチャ画面において壁紙変更を行う例について説明したが、第２及び第３の表示モードにおいても同様にして壁紙変更を行うことができる。
【００５４】
さらに、上述の例では、画像表示制御装置がＰＤＡに用いられる例について説明したが、他の情報処理装置について上述の画像表示制御装置を用いるようにしてもよい。また、上述のＰＤＡではサイドコントローラ１３が上下方向に揺動可能である例について説明したが、勿論サイドコントローラ１３を左右方向に揺動可能に支持するようにしてもよい。つまり、サイドコントローラ１３をＰＤＡ筐体の側面に携帯情報端末装置の筐体の上面から下面に延びる軸に対して回動又は揺動可能に支持するようにしてもよい。
【００５５】
なお、サイドコントローラ１３のような一つのスイッチ部を用いる必要はなく、第１及び第２のスイッチを備えて、第１又は第２のスイッチの操作を第１の操作（サイドコントローラ１３でいうと揺動操作）に対応させ、第１及び第２のスイッチの操作を第２の操作（サイドコントローラ１３でいうと押し込み操作）に対応づけるようにしてもよい。
【００５６】
このようにして、最下位画像（壁紙）を変更する画像変更モードが選択された際、スイッチ部の第１の操作毎に予め記憶された複数の画像を順次画像候補として選択して表示画面に表示して、スイッチ部の第２の操作に応じて現に表示画面に表示されている画像候補を最下位画像として決定するようにしたから、最下位画像、つまり、壁紙の表示制御を簡単に行えることになる。
【００５７】
また、スイッチ部を回動又は揺動可能に支持して、第１の操作を、スイッチ部の回動又は揺動操作としたから、操作性を良好として、壁紙の表示制御を簡単に行えることになる。
【００５８】
さらに、スイッチ部を押圧可能に支持して、第２の操作を、スイッチ部の押圧操作としたから、操作性を良好として、壁紙の変更・設定を行うことができる。
【００５９】
加えて、画像変更モードとなると、表示画面全体に画像候補のみを表示するようにしたから、ユーザは画像候補の確認・認識が容易に行えることになる。
【００６０】
また、壁紙画像（最下位画像）を変更するのに代えて、単にある下位の階層の下位画像を変更するようにしてもよい。これによって、更に、多様な画像の表示制御を実現することができる。
【００６１】
また、スイッチ部の第１の操作の都度に、予め記憶された複数の画像を順次画像候補として壁紙画像に代えて表示画面の略全体にわたって表示するようにしたが、表示しようとする画像候補のサイズに応じて表示画面の一部の領域に表示するようにしても良い。
【００６２】
この場合、画像候補に選択された画像データのサイズが表示画面の略半分のサイズであれば、表示画面の中央にそのサイズのまま表示するのが好ましく、また、その画像データのサイズが表示画面の略２倍の大きさであれば、表示画面にその画像データの一部を表示するようにしても良い。尚、画像データのサイズと表示画面とに応じて、適宜画像データを拡大縮小などの処理を施し、表示画面全体に表示するようにしても良いことは言うまでもない。
【００６３】
更に、スイッチ部の第１の操作の都度に、予め記憶された複数の画像を順次画像候補として壁紙画像に代えて表示画面に表示するようにしたが、第１の操作として、スイッチ部の押圧を所定時間継続状態とした場合に、予め記憶した複数の画像を順次連続的に画像候補として壁紙画像に代えて表示画面に表示するようにしても良い。この場合は、第１の操作に相当するスイッチ部を例えば揺動、回動、押圧などをし続けている間、連続的に画像が切り換わって表示されてゆくものであり、壁紙としたい所望の画像が表示されたときに、該スイッチの揺動、回動、押圧などの操作をやめると、自動的に壁紙として設定されるようにしても良い。
【産業上の利用可能性】
【００６４】
本発明によれば壁紙の表示制御、つまり、壁紙の変更・設定が容易であり、しかも操作性の良好な壁紙画像表示制御装置及び壁紙画像表示制御プログラムを提供出来る。
【図面の簡単な説明】
【００６５】
【図１】本発明による携帯情報端末装置の一例の外観を示す斜視図である。
【図２】図１に示す携帯情報端末装置で用いられる制御系の一例を示すブロック図である。
【図３】図１に示す携帯情報端末装置に表示されるランチャ画面の例を示す図であり、（ａ）は第１のモードによるランチャ画面を示す図、（ｂ）は第２のモードによるランチャ画面を示す図、（ｃ）は第３のモードによるランチャ画面を示す図である。
【図４】図１に示す携帯情報端末装置における壁紙変更処理を説明するためのフロー図である。
【図５】ランチャ画面において壁紙変更モードが起動され壁紙変更の実行を説明するための図であり、（ａ）〜（ｆ）は画面遷移を示す図である。
【符号の説明】
【００６６】
１１  外装ケース
１２  液晶パネル
１３  コントロールスイッチ（サイドコントローラ）
１４  エスケープスイッチ
１５  電源オン／オフスイッチ（電源スイッチ）
１６  挿入スロット
１７  外部接続ターミナル
１８  タッチペン（スタイラスペン）
１９  収納部
２１  中央処理装置（ＣＰＵ）
２２  記憶部
２３  サイドコントローラ操作検出部
２４  エスケープスイッチ操作検出部
２５  電源スイッチ操作検出部
２６  タッチパネル操作検出部
２７  液晶パネル駆動部
【図１】
2008165770.tif 000003
【図２】
2008165770.tif 000004
【図３】
2008165770.tif 000005
【図４】
2008165770.tif 000006
【図５】
2008165770.tif 000007